【手続補正書】
【提出日】平成20年4月7日(2008.4.7)
【手続補正１】
【補正対象書類名】特許請求の範囲
【補正対象項目名】全文
【補正方法】変更
【補正の内容】
【特許請求の範囲】
【請求項１】
デバイスと接続されるＰＯＳ端末装置であって、
前記デバイスは、当該デバイスの使用に応じて自ら使用量を計算し、前記使用量を記憶しておくデバイスであり、
前記ＰＯＳ端末装置は、
所定のアプリケーションからの操作要求に応じて、要求された操作量を生成し、記憶する操作量生成手段と、
前記デバイスから前記使用量を取得する取得手段と、
前記アプリケーションからの照会要求に応じて、前記取得手段に前記デバイスから前記使用量を取得させ、当該取得した使用量に前記操作量を適用して計算し、当該計算結果を前記アプリケーションに返す操作手段と、を備えるＰＯＳ端末装置。
【請求項２】
前記操作量生成手段は、前記取得手段に前記使用量を取得させ、当該取得した使用量に応じて操作量を生成することを特徴とする請求項１記載のＰＯＳ端末装置。
【請求項３】
前記操作要求がリセット要求である場合、前記操作量生成手段は、前記取得手段に前記使用量を取得させ、当該取得した使用量を前記操作量とすることを特徴とする請求項１記載のＰＯＳ端末装置。
【請求項４】
不揮発性の記憶装置をさらに備え、
所定のイベントが発生すると、前記取得手段が前記デバイスからその時点の前記使用量を取得し、前記記憶装置に格納することを特徴とする請求項１記載のＰＯＳ端末装置。
【請求項５】
デバイスと接続されるＰＯＳ端末装置であって、
前記デバイスは、当該デバイスの使用に応じて自ら使用量を計算し、前記使用量を記憶する機能を有しないデバイスであり、
前記ＰＯＳ端末装置は、
所定のアプリケーションからの前記デバイスに対する前記デバイスの使用要求に基づいて、仮想的に前記デバイスでの使用量を計算し、記憶する仮想使用量計算手段と、
前記アプリケーションからの操作要求に応じて、前記仮想使用量計算手段の使用量を当該操作要求に応じて定まる量に操作する操作手段と、
前記アプリケーションからの照会要求に応じて、前記仮想使用量計算手段に記憶されている使用量を取得して、前記アプリケーションに返す照会応答手段と、を備えるＰＯＳ端末装置。
【請求項６】
不揮発性の記憶装置をさらに備え、
所定のイベントが発生すると、前記仮想使用量計算手段が記憶している前記使用量を前記記憶装置に格納することを特徴とする請求項４記載のＰＯＳ端末装置。
【請求項７】
第１のデバイスにも、第２のデバイスにも接続されるＰＯＳ端末装置であって、
前記第１のデバイスは、当該デバイスの使用に応じて自ら使用量を計算し、前記使用量を記憶しておくデバイスであり、
前記第２のデバイスは、当該デバイスの使用に応じて自ら使用量を計算し、前記使用量を記憶する機能を有しないデバイスであり、
前記ＰＯＳ端末装置は、
当該ＰＯＳ端末装置に接続されているデバイスが、前記第１のデバイスであるか、前記第２のデバイスであるかを判定する判定手段を備え、
（１）前記判定手段による判定の結果、接続されているデバイスが前記第１のデバイスである場合に動作する、
所定のアプリケーションからの操作要求に応じて、要求された操作量を生成し、記憶する操作量生成手段と、
前記第１のデバイスから前記使用量を取得する取得手段と、
前記アプリケーションからの照会要求に応じて、前記取得手段に前記第１のデバイスから前記使用量を取得させ、当該取得した使用量に前記操作量を適用して計算し、当該計算結果を前記アプリケーションに返す操作手段と、
（２）前記判定手段による判定の結果、接続されているデバイスが前記第２のデバイスである場合に動作する、
所定のアプリケーションからの前記第２のデバイスに対する前記第２のデバイスの使用要求に基づいて、仮想的に前記第２のデバイスでの使用量を計算し、記憶する仮想使用量計算手段と、
前記アプリケーションからの操作要求に応じて、前記仮想使用量計算手段の使用量を当該操作要求に応じて定まる量に操作する操作手段と、
前記アプリケーションからの照会要求に応じて、前記仮想使用量計算手段に記憶されている使用量を取得して、前記アプリケーションに返す照会応答手段と、をさらに備えるＰＯＳ端末装置。
【請求項８】
デバイスと接続されるＰＯＳ端末装置が、アプリケーションからの照会要求および操作要求に応答するための方法であって、
前記デバイスは、当該デバイスの使用に応じて自ら使用量を計算し、前記使用量を記憶しておくデバイスである場合、
前記アプリケーションからの操作要求に応じて、要求された操作量を生成し、記憶するステップと、
前記アプリケーションからの照会要求に応じて、前記デバイスから前記使用量を取得するステップと、
当該取得した使用量に前記操作量を適用して計算し、当該計算結果を前記アプリケーションに返すステップと、を有する方法。
【請求項９】
デバイスと接続されるＰＯＳ端末装置が、アプリケーションからの照会要求および操作要求に応答するための方法であって、
前記デバイスは、当該デバイスの使用に応じて自ら使用量を計算し、前記使用量を記憶する機能を有しないデバイスである場合、
前記アプリケーションからの前記デバイスに対する前記デバイスの使用要求に基づいて、仮想的に前記デバイスでの使用量を計算し、記憶するステップと、
前記アプリケーションからの操作要求に応じて、前記記憶されている使用量を当該操作要求に応じて定まる量に操作するステップと、
前記アプリケーションからの照会要求に応じて、前記記憶されている操作された使用量を取得して、前記アプリケーションに返すステップと、を有する方法。
【請求項１０】
デバイスと接続されるＰＯＳ端末装置が、アプリケーションからの照会要求および操作要求に応答するための方法であって、
前記ＰＯＳ端末装置に接続されているデバイスが、当該デバイスの使用に応じて自ら使用量を計算し、前記使用量を記憶しておく第１のデバイスであるか、当該デバイスの使用に応じて自ら使用量を計算し、前記使用量を記憶する機能を有しない第２のデバイスであるかを判定するステップと、
前記接続されているデバイスが第１のデバイスである場合に、
前記アプリケーションからの操作要求に応じて、要求された操作量を生成し、記憶するステップと、
前記アプリケーションからの照会要求に応じて、前記第１のデバイスから前記使用量を取得するステップと、
当該取得した使用量に前記操作量を適用して計算し、当該計算結果を前記アプリケーションに返すステップと、を行い、
前記接続されているデバイスが第２のデバイスである場合に、
前記アプリケーションからの前記第２のデバイスに対する前記第２のデバイスの使用要求に基づいて、仮想的に前記第２のデバイスでの使用量を計算し、記憶するステップと、
前記アプリケーションからの操作要求に応じて、前記記憶されている使用量を当該操作要求に応じて定まる量に操作するステップと、
前記アプリケーションからの照会要求に応じて、前記記憶されている操作された使用量を取得して、前記アプリケーションに返すステップと、を実行する方法。
【手続補正２】
【補正対象書類名】明細書
【補正対象項目名】００１２
【補正方法】変更
【補正の内容】
【００１２】
本発明の一実施態様に従うＰＯＳ端末装置は、デバイスと接続されるＰＯＳ端末装置であって、前記デバイスは、当該デバイスの使用に応じて自ら使用量を計算し、前記使用量を記憶する機能を有しないデバイスである。そして、前記ＰＯＳ端末装置は、所定のアプリケーションからの前記デバイスに対する前記デバイスの使用要求に基づいて、仮想的に前記デバイスでの使用量を計算し、記憶する仮想使用量計算手段と、前記アプリケーションからの操作要求に応じて、前記仮想使用量計算手段の使用量を当該操作要求に応じて定まる量に操作する操作手段と、前記アプリケーションからの照会要求に応じて、前記仮想使用量計算手段に記憶されている使用量を取得して、前記アプリケーションに返す照会応答手段と、を備える。
【手続補正３】
【補正対象書類名】明細書
【補正対象項目名】００１４
【補正方法】変更
【補正の内容】
【００１４】
本発明の一実施態様に従うＰＯＳ端末装置は、第１のデバイスにも、第２のデバイスにも接続されるＰＯＳ端末装置である。ここで、前記第１のデバイスは、当該デバイスの使用に応じて自ら使用量を計算し、前記使用量を記憶しておくデバイスであり、前記第２のデバイスは、当該デバイスの使用に応じて自ら使用量を計算し、前記使用量を記憶する機能を有しないデバイスである。そして、前記ＰＯＳ端末装置は、当該ＰＯＳ端末装置に接続されているデバイスが、前記第１のデバイスであるか、前記第２のデバイスであるかを判定する判定手段を備え、（１）前記判定手段による判定の結果、接続されているデバイスが前記第１のデバイスである場合に動作する、所定のアプリケーションからの操作要求に応じて、要求された操作量を生成し、記憶する操作量生成手段と、前記第１のデバイスから前記使用量を取得する取得手段と、前記アプリケーションからの照会要求に応じて、前記取得手段に前記第１のデバイスから前記使用量を取得させ、当該取得した使用量に前記操作量を適用して計算し、当該計算結果を前記アプリケーションに返す操作手段と、（２）前記判定手段による判定の結果、接続されているデバイスが前記第２のデバイスである場合に動作する、所定のアプリケーションからの前記第２のデバイスに対する前記第２のデバイスの使用要求に基づいて、仮想的に前記第２のデバイスでの使用量を計算し、記憶する仮想使用量計算手段と、前記アプリケーションからの操作要求に応じて、前記仮想使用量計算手段の使用量を当該操作要求に応じて定まる量に操作する操作手段と、前記アプリケーションからの照会要求に応じて、前記仮想使用量計算手段に記憶されている使用量を取得して、前記アプリケーションに返す照会応答手段と、をさらに備える。